Podtech/llm-jp-corpus-v4-ja_patent huggingface dataset:
(57)【要約】【課題】    野菜、果実、花等の栽培に使われる農業用ハウスに関するものである。【解決手段】  本発明は、ビニール等樹脂フィルムの片面或いは両面にアルミ等輻射熱に対して高反射率の素材に蒸着をしたものであるが、シート全体にしかも均一に丸や四角等の非蒸着部を設けたものである。【選択図】図１
2013179939.tif 000002
【特許請求の範囲】
【請求項１】
ビニール等樹脂フィルムの片面或いは両面に、アルミ等輻射熱に対して高反射率の素材を蒸着したシートに、均一に丸や四角等の非蒸着部分を設けた過乾燥防止シート。
【請求項２】
均一に丸や四角等の開口部を設けたアルミホイル等輻射熱に対して高反射率の素材の片面或いは両面に、ビニール等樹脂フィルムを取り付けた請求項１記載の過乾燥防止シート。
【発明の詳細な説明】
【技術分野】
【０００１】  本発明は、野菜、果実、花等植物の栽培に使われる農業用ハウスに関するものである。
【背景技術】
【０００２】  地球温暖化の影響で気温が年々上昇し、ある地域で従来から作られた野菜が同じ条件下では枯れたり成長が止まったり等により生産が減少するという状況がふえてきている。これは、植物が生育できる状況以上に日射量が増えすぎ、所謂過乾燥状態になる為と思われる。勿論、ビニールハウス内での栽培も同様で、暑さのため生産量の減少を余儀なくされている。これに対処する為、ビニールハウスの上に遮光ネットを懸けた日除けや、遮光性シートと透光性シートを接続してなる遮光シートを使用し太陽光を遮蔽する等の対策がとられている。
【先行技術文献】
【特許文献】
【０００３】
【特許文献１】特許出願平１１−２４０９７９
【特許文献２】特許公開平８−１１７９４０
【発明の開示】
【発明が解決しようとしている課題】
【０００４】  その為次のような問題があった。
一般的な遮光ネットは、蒸着フィルム或いはフィルムにアルミ箔を貼り合わせた箔フィルム等を裁断し緯糸又は経糸に用いて織物にしたものが使用されている。従って、遮光ネットを製造するには多くの工程を要しコストがかかるという問題がある。又、遮光ネットは既存のシートの上に懸けて使用する為、シートが二重になり費用が増大する事や取付工事に余分の労力を要するという問題もあった。更に、屋外で使用するため風の影響を受けやすく、撚れたりしてしまイメンテナンスに手間がかかるということもある。
【００５】  アルミ蒸着やフィルムにアルミ箔を貼り合わせた遮光性シートと透光性シートをほぼ同じ幅に交互に接合してなる遮光シートもある。遮光性シートと透光性シートの割合を変えれば、ある植物に対する一日に必要な日射量は調整可能である。しかし、遮光シートが一方向の為、日射が多く当たる場所とそうでない場所が生じ、植物に均一に当てることは難しいという問題がある。更に、溶着等で接合して使用するため製造コストがかかるという問題もある。
本発明は、これらの問題を解決する為になされたものである。
【課題を解決するための手段】
【０００６】  上記問題点を解決する為本発明は、ビニール等樹脂フィルムの片面或いは両面に、アルミ等輻射熱に対して高反射率の素材を蒸着したシートに、均一に丸や四角等の非蒸着部分を設けた過乾燥防止シートである。
又、均一に丸や四角等の開口部を設けたアルミホイル等輻射熱に対して高反射率の素材の片面或いは両面に、ビニール等樹脂フィルムを取り付けた過乾燥防止シートとしたものである。
【図面の簡単な説明】
【０００７】
【図１】過乾燥防止シート施工図
【図２】過乾燥防止シート平面図
【図３】アルミ蒸着等過乾燥防止シート断面図
【図４】アルミホイル等過乾燥防止シート断面図
【発明を実施するための形態】
【０００８】  以下本発明を実施するための最良の形態について説明する。
太陽からの日射は、電磁波という形態をとって地球に照射されている輻射熱である。即ち、植物に照射される日射量を減らすという事はこの輻射熱をカットすることに他ならない。又、この輻射熱をカットする方法として、アルミ等輻射熱に対して高反射率の素材が有効である事が知られている。
【０００９】  光合成の働きにより生育する植物は、その種類により又生育する地域により夫々固有の日射量が必要である。しかし、近年地球温暖化の影響で日射量が増えすぎ、枯れや生育不良により野菜、果実、花等植物の生産量が大きく減少することが多い。この対策として、各々の植物に必要な日射量だけを確実に取り込み、不要な日射量は排除することが望ましい。
【００１０】  又、植物が連続して過剰な日射を受けると、輻射熱の影響で植物自体の温度が上昇し枯れや萎れの原因ともなる。これを防止するには、一日を通して植物に照射される日射を断続的に行うのが好ましい。
本発明は、この条件を満足させる方法である。
【００１１】  本発明は、図２の通りビニール等樹脂フィルム４の片面或いは両面にアルミ等輻射熱に対して高反射率の素材３を蒸着したものであるが、シート全体に均一に丸や四角等の非蒸着部２を設けたものである。
【００１２】  先ず、植物に必要な一日の日射量は、シート全体面積に対する非蒸着部２の全開口面積により決める事が出来る。勿論、地域によって日射量も異なるわけであるから、植物の種類と生育地の日射量等により非蒸着部２の面積を決めればよい。これらの面積を確定することにより、個々の植物の光合成に必要な日射量を得ることができる。
【００１３】  植物の枯れや萎れ等は、一日の日射量からよりはむしろ継続して日射が行われることにより植物自体が熱を持ちすぎる為に起こりやすい。これを防止する為、アルミ等輻射熱に対して高反射率の素材３を蒸着した部分と非蒸着部２を交互に均一に設ける事により、植物には日陰と日向が交互に繰りかされ過剰な温度上昇を防ぐ事ができる。
【００１４】  同様の考え方で、均一に丸や四角等の開口部６を設けたアルミホイル等輻射熱に対して高反射率の素材５の片面或いは両面に、ビニール等樹脂フィルム４を取り付ける方法もある。アルミホイル等輻射熱に対して高反射率の素材５は、アルミ蒸着品より反射率も高く、より大きな効果を発揮することが可能である。
【発明の効果】
【００１５】  植物の種類に応じて或いは日射量の異なる地域に応じて自由に日射量の調整ができる為、広範囲の農業生産物の生産性向上が可能となる。
【００１６】  一般に、アルミホイル等輻射熱に対して高反射率の素材でハウスの内側を施工すると、室温がより均一化されるので生産量の増加に繋がっているが、当該商品も同様の効果が期待できる。
【００１７】  当該シートは一体化されたものであるから、従来ビニールハウスのシート取り付け方と全く同様な工法でよく、特段の技術も必要でなく目的を達成させることができる。
【００１８】  素材を裁断し織ったり、シート同士を接続したりすることもないので、製造コストも下げることが可能である。
【００１９】  風等の影響も受けにくいのでメンテナンスも各段に少なくてすむ。
【符号の説明】
【００２０】    １  過乾燥防止シート
２  非蒸着部
３  アルミ等輻射熱に対して高反射率の素材
４  ビニール等樹脂フィルム
５  アルミホイル等輻射熱に対して高反射率の素材
６  開口部
【図１】
2013179939.tif 000003
【図２】
2013179939.tif 000004
【図３】
2013179939.tif 000005
【図４】
2013179939.tif 000006
(57)【要約】【課題】キノコがパントエア・アグロメランスの発酵培養に使用可能であるかどうか。【解決手段】キノコをパントエア・アグロメランスによって発酵させて、同時に該パントエア・アグロメランスを培養することを特徴とする発酵及び培養方法、該発酵及び培養方法で得られることを特徴とするキノコ発酵エキス、該キノコ発酵エキスから得られることを特徴とするキノコ発酵エキス末、該キノコ発酵エキス又はキノコ発酵エキス末が配合されていることを特徴とするキノコ発酵エキス配合物。【選択図】なし【特許請求の範囲】
【請求項１】
キノコをパントエア・アグロメランスによって発酵させて、同時に該パントエア・アグロメランスを培養することを特徴とする発酵及び培養方法。
【請求項２】
請求項１記載の発酵及び培養方法で得られることを特徴とするキノコ発酵エキス。
【請求項３】
請求項２記載のキノコ発酵エキスから得られることを特徴とするキノコ発酵エキス末。
【請求項４】
請求項２記載のキノコ発酵エキス又は請求項３記載のキノコ発酵エキス末が配合されていることを特徴とするキノコ発酵エキス配合物。
【請求項５】
前記キノコ発酵エキス配合物が医薬品、動物用医薬品、医薬部外品、化粧品、食品、機能性食品、飼料、又は浴用剤であることを特徴とする請求項４記載のキノコ発酵エキス配合物。
【発明の詳細な説明】
【技術分野】
【０００１】
（目的）
多くの担子菌類子実体（キノコ）が食用に供されている。キノコは免疫を賦活するβグルカンやαグルカン、キシログルカンなどの他、コレステロールを低下するエリタデニンなどが知られて、健康を増進する食品として認識されている。βグルカンやαグルカンなどは自然免疫の中心的細胞であるマクロファージの細胞膜に存在するトル様受容体2 (TLR-2)やデクチンと結合してマクロファージを刺激することが知られている。しかし、キノコに含まれる成分はまだ解明されていないものが多く存在する。
【背景技術】
【０００２】
一方、グラム陰性菌も免疫賦活する物質が含まれており、健康を増進する作用がある。例えば、リポ多糖、ペプチドグリカン、細菌のDNAなどである。リポ多糖はTLR-4を介し、細菌のDNAはTLR-9を介してマクロファージを活性化する。ある種のグラム陰性菌は植物に共生することが知られており、キノコにも存在が示されている。例えばパントエア菌である。
【０００３】
キノコのマクロファージ活性化はTLR-2が主体であり、グラム陰性菌のそれはTLR-4, TLR-9が主体であることから、受容体が異なるため、キノコとグラム陰性菌の成分はマクロファージ活性化に対して相乗的効果が期待される。
【発明の概要】
【発明が解決しようとする課題】
【０００４】
以上のことから、パントエア菌などの植物に共生するグラム陰性細菌や免疫賦活作用が期待出来るキノコを用いて、成分、製造法、効果等について訴求力が高く、格別の効果を示す新規素材を開発する。
今回は、細菌をキノコを成分とした培地で発酵させることを検討した。
【発明を実施するための形態】
【０００５】
（試験内容）
細菌をキノコで培養する例は知られていない。そこで、βグルカンが制がん剤として使用されているシイタケ、多くの健康食品会社より免疫賦活効果が謳われているアガリスク（メシマコブ）、マイタケなどを用いて細菌の培養を検討する。
【実施例１】
【０００６】
（実験）
シイタケ粉末、マイタケ粉末、チチタケ粉末、アガリスク粉末をケーフーズなまためから購入した。各粉末5gと食塩0.5gを混合し、蒸留水100mlを添加した。これを120℃20分間オートクレーブで滅菌してキノコ培地とした。対照区としてLB培地（トリプトン1.0 g、イーストエクストラクト0.5 g、NaCl 0.5 gに100mlとなるように蒸留水を加え、懸濁液を調製し、オートクレーブして調整）を用いた。パントエア菌および大腸菌をLB培地で培養したものを1500回転10分間遠心分離器にかけて菌体を回収し、リン酸緩衝生理的食塩水100mlで懸濁し、これを0.5ml分取し、それぞれのキノコ培地50mlに加えた。振盪培養器で30℃48時間培養した。培養後、ボルテックスミキサーで1分間分散した後、90℃で20分間加熱した。室温まで温度が低下した後に、ボルテックスミキサーで1分間分散後に、20分間超音波処理し、15000rpmで5分間遠心分離して、上清を各キノコ培地で培養した細菌の発酵抽出液として回収した。発酵液中の糖脂質含量はエンドスペシーで定量した。
【０００７】
（結果）
シイタケ、マイタケ、チチタケ、アガリスク培地で発酵したパントエア菌と大腸菌の発酵抽出物の糖脂質含量を表1、２に結果を示す。表から明らかなように各キノコ培地は単独でもパントエア菌と大腸菌を増殖させることが出来た。さらに食塩を加えることで10倍程度に菌の増殖が高まり、極めて優秀な培地となりえることが見いだされた。
【０００８】
【表１】
2013179876.tif 000002
【０００９】
【表２】
2013179876.tif 000003
【００１０】
（考察）
シイタケ、マイタケ、アガリスクにはβグルカンが含まれることが明らかである。本試験において作製されたキノコ培地は食塩を入れることで、大腸菌やパントエア菌を培養することが出来る事が明らかになった。本キノコ抽出物はマクロファージ活性化による、感染症予防、抗アレルギー、抗がん、生活習慣病予防、鎮痛、睡眠導入などの健康を維持する作用が誘導出来ると考えられる。ヒト以外にも、ペット、家畜、水産動物にも応用可能である。
(57)【要約】【課題】従来の太陽光発電システムは屋根の上に、取り付けされたことから、建物にかかる荷重が大きく、建物の補強を伴う工事をする場合もあり、雨漏りする事も多々あった。更に、取り付け時、人手も多くいり施工費用も大きなものとなった。その為かかった費用を償却するには、長期間かかり採算が合わない場合が多くみられた。【解決手段】本発明は、これらを解決するため、建物のベランダ部分に着目して、太陽光パネルを簡単な取り付け金具で接続して、取り外しを簡単なものとした。これにより、電力を蓄えるバッテリーやパワーコントロラーを組み合わせることで、室内の電力維持も可能とした。【選択図】図１
2013179815.tif 000002
【特許請求の範囲】
【請求項１】
取り付け金具を用い、簡単に取り外しができる太陽電池パネルシステムを有し、それにバッテリーを接続することで、夜間電力を利用できる電力供給システム。
【請求項２】
マンションのベランダ部分等の手すりに取り付け可能な請求項１の電力供給システム。
【請求項３】
太陽光パネルを縦横組み合わせることの出来る架台を用いた請求項１の電力供給システム。
【請求項４】
光センサーと稼働モーターを用い、太陽光パネルが効率よく作動する方向に角度調整することのできる請求項１の電力供給システム。
【請求項５】
コンピュータ制御などを用いることのない請求項４の光センサーを用いた請求項１の電力供給システム。
【請求項６】
電力会社からの電力供給が停止した場合、自動的に作動する請求項１の電力供給システム。
【請求項７】
縦横に並べられた、太陽光パネルが各自独立配線された請求項１の電力供給システム。
【請求項８】
太陽光発電システム部分に風よけを取り付けた請求項１の電力供給システム。
【請求項９】
太陽光発電システム部分の大まか角度調整ができる請求項１の電力供給システム。
【発明の詳細な説明】
【発明の詳細な説明】
【技術分野】
【０００１】本発明は、太陽光パネルを光センサーで制御し、電力を供給するためのシステムに関するものである。
【産業上の利用分野】
【０００２】本発明は、太陽光パネルを家庭のベランダ等に簡単に取り付けることで、停電等によって電力供給が停止した際にも、家庭で電力が利用できるシステムである。また、夜間などにおいても太陽光パネルを利用した発電により、昼間蓄えた電力を夜間、利用できるシステムである。更に、光センサーによって、太陽を追尾し効率の良い方向に太陽光パネルを向けることで、従来の太陽光発電より効率よく行うシステムである。また、角度調整部分で事前に大まかな角度を決めることができる。
更に、太陽光発電システムの左右及び底部分に、風よけを付けた。
【背景技術】
【０００３】従来の太陽光発電システムは、太陽光パネルを屋根につけることを特徴としていた。しかし、この場合、太陽光パネルの荷重が建物に掛かるため、補強等という問題も発生した。更に施工を行うためには多くの人手がかかり、設備等を含めると効率の悪いものとなっていた。また、雨漏りの問題も発生した。【０００４】太陽光パネルの破損や汚れに対しても、メンテナンスに費用が掛かり、実用性から考えても問題点が多くみられた。
【発明が解決しようとする課題】
【０００５】本発明は、太陽光パネルを施工費がかかる屋根に施工する事を問題とし、解決しようとした。更に、メンテナンスにおいても簡単に実施できるようにする事を、問題とし解決しようとした。
【課題を解決する為の手段】
【０００６】上記課題を解決する為に、太陽光を受けやすいベランダ部分に着目した。ベランダの手すり部分を利用して取り付ける為には、簡単な取り付け金具を用いることで、安易に取り外しが可能である。
また、電力を生み出す太陽光パネルから、バッテリー等に接続することも容易であり、このバッテリーに昼間蓄えられた電力を夜、電化製品に接続しておき、利用することもできる。
【０００７】また、小型の太陽光パネルを縦横に配することで、稼働モーターを小さなものにして、電力消費量を抑えた。更に、各太陽光パネルは独立配線で、雲などで太陽光が遮られ一部の太陽光パネルが、作動しなくなっても各太陽光パネルが独立の配線であるため、影が差さなかった部分は太陽光発電を行うことができた。
【０００８】本発明は、コンピュータでの稼働モーターの制御がなく、機器に取り付けられた光センサーは、太陽光を追尾しながら稼働するが、大きく動く必要のないときモーターは稼働しない。
【０００９】本発明は、バッテリー部分にパワーコントローラーを取り付けることで、停電等による電力会社からの電力供給が停止した場合、バッテリーより電力供給して電力のバックアップを行うことができた。
【図面の簡単な説明】
【００１０】図１は、本発明の電力の流れを示す。太陽光発電システム（Ａ）に取り付けられた太陽光パネル（Ｂ）を用い、電力を生み出す。これらは接続金具（Ｃ）によってベランダ手すり部分（Ｄ）に固定されている。
生み出された電力はバッテリー機能を有するパワーコントロラー（Ｅ）に蓄えられ、屋内の家電製品（Ｆ）に電力供給される。
図２は、太陽光発電システム（Ａ）に取り付けられている太陽光パネル（Ｂ）の配置を示す。これらの配置等はベランダの大きさ等によって調整できる。
また、太陽光パネルは光センサー（Ｇ）によって、稼働モーター（Ｈ）を動かし最適な光の方向に向けることができる。
【符号の説明】
【００１１】Ａは、太陽光発電システムである。
Ｂは、太陽光パネルである。
Ｃは、接続金具である。
Ｄは、ベランダ手すり部分である。
Ｅは、バッテリー機能を有するパワーコントローラーである。
Ｆは、屋内の家電製品である。
Ｇは、光センサーである。
Ｈは、稼働モーターである。
Ｉは、太陽光発電システムの角度調整部分である。
【図１】
2013179815.tif 000003
【図２】
2013179815.tif 000004
【図３】
2013179815.tif 000005
【手続補正書】
【提出日】平成24年5月22日(2012.5.22)
【手続補正１】
【補正対象書類名】明細書
【補正対象項目名】００１０
【補正方法】変更
【補正の内容】
【００１０】
【図１】は、本発明の電力の流れを示す。太陽光発電システム（Ａ）に取り付けられた太陽光パネル（Ｂ）を用い、電力を生み出す。これらは接続金具（Ｃ）によってベランダ手すり部分（Ｄ）に固定されている。生み出された電力はバッテリー機能を有するパワーコントロラー（Ｅ）に蓄えられ、屋内の家電製品（Ｆ）に電力供給される。
【図２】は、太陽光発電システム（Ａ）に取り付けられている太陽光パネル（Ｂ）の配置を示す。これらの配置等はベランダの大きさ等によって調整できる。また、太陽光パネルは光センサー（Ｇ）によって、稼働モーター（Ｈ）を動かし最適な光の方向に向けることができる。
【図３】は、太陽光発電システムの角度調整部分（Ｉ）を示す。